(57)【要約】【課題】  弦楽器の張弦作業を容易且つ迅速に行うことができる張弦補助装置を提供すること。【解決手段】  エレクトリックギター５１の楽器本体５２上に、アームアップ及びアームダウンの両方向に動作するトレモロユニット５０が配置されている。張弦補助装置１０は、楽器本体５２の上面側に位置する設置部１１と、トレモロユニット５０のアーム６０を保持する保持部１２と、この保持部１２と設置部１１との間に延びる連結部１３とを備えて構成されている。張弦補助装置１０は、弦５５の交換時に、エレクトリックギター５１の楽器本体５２の上面側であって、トレモロユニット５０の近傍位置に配置され、保持部１２によりアーム６０を保持することでトレモロユニット５０が傾くことを防止する。【選択図】      図１
2006030231.tif 000002
【特許請求の範囲】
【請求項１】
アーム操作によってアームアップ及びアームダウンの両方向に動作するトレモロユニットを楽器本体に備えた弦楽器の張弦補助装置であって、
前記楽器本体側の設置部と、この設置部の反対側に位置してアームを保持する保持部とを備えていることを特徴とする張弦補助装置。
【請求項２】
前記設置部と保持部との相対距離が調整可能に設けられていることを特徴とする請求項１記載の張弦補助装置。
【請求項３】
前記保持部は、前記アームを受容した状態で保持する開口部を含み、当該開口部の向きは、調整可能に設けられていることを特徴とする請求項１又は２記載の張弦補助装置。
【請求項４】
前記設置部は、楽器本体に接する領域に滑り防止部を備えていることを特徴とする請求項１，２又は３記載の張弦補助装置。
【請求項５】
前記設置部は、楽器本体の複数箇所に分散して接することを特徴とする請求項１ないし４の何れかに記載の張弦補助装置。
【発明の詳細な説明】
【技術分野】
【０００１】
本発明は、張弦補助装置に係り、更に詳しくは、トレモロユニットを有する弦楽器の張弦作業を容易に行えるようにする張弦補助装置に関する。
【０００２】
従来より、エレクトリックギター等の弦楽器において、弦の一端側を支持するトレモロユニットを楽器本体に備えたものが利用されている。このトレモロユニットとして、例えば、図９及び図１０に示されるタイプのものが知られている。
【０００３】
図９及び図１０において、トレモロユニット５０は、エレクトリックギター５１の楽器本体５２上に配置され、当該楽器本体５２に支持軸５３を介して回動可能に支持されたブリッジベース５４と、このブリッジベース５４の上面側に配置されるとともに、弦５５の一端側（図１０中右端側）を支持する複数のブリッジサドル５６と、ブリッジベース５４の下面側に設けられて楽器本体５２の穴５２Ａ内に挿入される挿入部５７と、この挿入部５７の下端部と楽器本体５２とを連結するとともに、弦５５と略平行に延びるコイルスプリング等のばね部材５８と、ブリッジベース５４に回転可能に支持されるとともに、楽器本体５２の上面側に位置するアーム６０とを備えて構成されている。
【０００４】
ブリッジベース５４は、アーム６０を図１０，図１１中矢印Ｒ方向に揺動させることにより、支持軸５３を中心位置として図１０中矢印Ａ１方向で示されるアームアップ方向及び同図中Ａ２方向で示されるアームダウン方向の両方向に動作し、これにより、各弦５５の張力が変化して音程を上下させるトレモロ効果が発揮される。ここで、各弦５５を張設した状態において、弦５５の張力Ｆ１とばね部材５８との弾性力Ｆ２とは、支持軸５３においてバランスが保たれており、これによってブリッジベース５４の向きが図１０に示される向きに維持される。
【発明の開示】
【発明が解決しようとする課題】
【０００５】
しかしながら、前記トレモロユニット５０にあっては、弦５５の交換中に、当該弦５５の張力Ｆ１がなくなる或いは低下すると、ばね部材５８の弾性力Ｆ２により、ブリッジベース５４が張弦時に比べて図１１中矢印Ｓ方向に傾いた姿勢となる。この状態で、弦５５を張設すべく、その他端側を糸巻き（図示省略）に巻き付けると、当該糸巻きの回転数が増大し、このための作業が煩雑且つ長時間になるという不都合を招来する。
【０００６】
［発明の目的］
本発明は、このような不都合に着目して案出されたものであり、その目的は、弦楽器の張弦作業の容易化や作業時間の短縮化を図ることができる張弦補助装置を提供することにある。
【課題を解決するための手段】
【０００７】
前記目的を達成するため、本発明は、アーム操作によってアームアップ及びアームダウンの両方向に動作するトレモロユニットを楽器本体に備えた弦楽器の張弦補助装置であって、
前記楽器本体側の設置部と、この設置部の反対側に位置してアームを保持する保持部とを備える、という構成が採用されている。
【０００８】
本発明において、前記設置部と保持部との相対距離が調整可能に設けられる、という構成を採ることが好ましい。
【０００９】
また、前記保持部は、前記アームを受容した状態で保持する開口部を含み、当該開口部の向きは、調整可能に設けられる、という構成も好ましくは採用される。
【００１０】
更に、設置部は、楽器本体に接する領域に滑り防止部を備える、という構成も採ることができる。
【００１１】
また、設置部は、楽器本体の複数箇所に分散して接する、という構成を採ってもよい。
【発明の効果】
【００１２】
本発明によれば、設置部を楽器本体に設置しつつ、保持部にトレモロユニットのアームを保持させることにより、弦の交換時に当該弦の張力がなくなった場合であっても、トレモロユニットが弦の張設時に比べて傾斜することを防止することができる。これにより、弦の端部側を糸巻きに巻き付けるときに、当該糸巻きの回転数を抑制することができ、張弦作業を迅速且つ簡単に行うことが可能となる。
【００１３】
また、設置部と保持部との相対距離を調整可能としたので、楽器本体とアームとの離間距離に応じて、アームがしっかりと保持できるように保持部の位置を容易に設定することが可能となる。これにより、種々のアーム形状を備えた弦楽器に張弦補助装置を用いた場合であっても、これに対応して保持部によるアームの保持位置を良好に保つことができ、張弦補助装置の汎用性を高めることが可能となる。
【００１４】
更に、アームを受容する開口部の向きを調整可能とした場合、設置部を設置した後、アームを保持し易いように開口部の向きを簡単に設定でき、アームを保持させる作業の容易化を図ることが可能となる。
【００１５】
また、設置部が滑り防止部を備えているので、張弦作業時に張弦補助装置が不用意に移動することを防止することができる。これにより、設置部と楽器本体とが擦れて当該楽器本体が意図することなく損傷することを回避することが可能となる。
【００１６】
更に、設置部が楽器本体の複数箇所に分散して接する場合、保持部におけるアーム保持位置を安定的に保つことができる。
【発明を実施するための最良の形態】
【００１７】
以下、本発明の好ましい実施の形態について図面を参照しながら説明する。
なお、以下の説明において、弦楽器としてのエレクトリックギターに関し、前記背景技術で示した構造と同一若しくは同等の構成部分については同一符号を用いるものとし、説明を省略若しくは簡略にする。
また、本明細書において、「上」及び「下」は、楽器本体を略水平方向に向けつつ当該楽器本体の上側に弦が位置する状態、すなわち、図１に示される状態を基準として用いる。
【００１８】
［第１実施形態］
図１には、第１実施形態に係る張弦補助装置の使用状態の概略斜視図が示されている。この図において、張弦補助装置１０は、エレクトリックギター５１（図９参照）の楽器本体５２の上面側であって、トレモロユニット５０の近傍位置に配置されている。張弦補助装置１０は、楽器本体５２の上面側に位置する設置部１１と、この設置部１１の反対側に位置してトレモロユニット５０のアーム６０を保持する保持部１２と、この保持部１２と設置部１１との間に延びる連結部１３とを備えて構成されている。
【００１９】
前記設置部１１は、略円形の平面形状をなす板状に形成されている。設置部１１は、楽器本体５２に接する領域すなわち下面領域に滑り防止部１５を備えている。この滑り防止部１５は、特に限定されるものでないが、本実施形態では、適度なクッション性を有する板状のゴムにより構成され、楽器本体５２の上面との間で摩擦力を発揮することにより、楽器本体５２の上面側での張弦補助装置１０の不用意な移動を規制できるようになっている。
【００２０】
前記保持部１２は、図２及び図３にも示されるように、正面視略円形の開口部１６を備えた略中空円筒状に形成され、開口部１６内にアーム６０を通して受容することにより、アーム６０を保持可能に設けられている。保持部１２の開口部１６側すなわち内周面側には、その周方向に沿って緩衝部材１７が取り付けられている。この緩衝部材１７は、本実施形態では、前記滑り防止部１５と同様のゴムにより構成されている。
【００２１】
前記連結部１３は、上下方向に向けられ、設置部１１と保持部１２とを連結するねじ構造により構成されている。具体的には、連結部１３は、設置部１１の上面に連設されるとともに、略円筒状の外観形状に形成された雌ねじからなる第１のねじ部１９と、この第１のねじ部１９に螺合するとともに、保持部１２の下面側に連設された雄ねじからなる第２のねじ部２０とにより構成されている。従って、第１及び第２のねじ部１９，２０を相対回転することにより、連結部１３の上下長さが伸縮して設置部１１と保持部１２との相対距離を調整でき、設置部１１に対する開口部１６の向きも調整できるようになっている。
【００２２】
ここで、図２及び図３に示されるように、保持部１２の外径寸法Ｄ１は、設置部１１の外径寸法Ｄ２より小さく設定されている一方、第１のねじ部１９の外径寸法Ｄ３より大きく設定されている。つまり、Ｄ３＜Ｄ１＜Ｄ２の相関関係が成り立つように設定されている。また、保持部１２の厚み（図３中左右幅）Ｔは、前記外径寸法Ｄ３より小さく設定されている。このような寸法形状に設定することで、設置部１１の楽器本体５２に対する設置領域を十分に確保しつつ、張弦補助装置１０の低重心化を図ることができ、楽器本体５２上で安定して自立できるようになる。
【００２３】
次に、張弦補助装置１０を用いたエレクトリックギター５１の弦５５の交換作業について説明する。
【００２４】
先ず、図９に示されるように、全ての弦５５が張設された状態で、アーム６０を演奏位置から約１８０°回転し、アーム６０の先端側をトレモロユニット５０より図９中下側に配置する。そして、図１に示されるように、保持部１２の開口部１６内にアーム６０を通した後、設置部１１を楽器本体５２上に設置する。このとき、アーム６０及び楽器本体５２の離間距離Ｈ１（図３参照）と、開口部１６の下部と設置部１１下面との離間距離Ｈ２とが異なる場合、連結部１３の各ねじ部１９，２０を相対回転して伸縮させ、前記各離間距離Ｈ１，Ｈ２を略一致させる。これにより、保持部１２によりアーム６０が保持された状態で設置部１１が楽器本体５２の上面に設置され、楽器本体５２に対してアーム６０の位置が一時的に固定される。その後、全ての弦５５をトレモロユニット５０から取り外すと、弦５５の張力Ｆ１（図１０参照）がなくなるため、前記ばね部材５８の弾性力Ｆ２がトレモロユニット５０のブリッジベース５４を図１１中矢印Ｓ方向に傾かせるように作用する。ところが、前述のようにアーム６０の位置が固定されるので、ブリッジベース５４の矢印Ｓ方向に傾くことが規制され、楽器本体５２に対するブリッジベース５４の相対位置も固定される。この状態で、新しい弦５５の一端側をトレモロユニット５０に取り付けた後、弦５５の他端側を糸巻き（図示省略）に巻き付けることにより、弦５５の交換作業が完了する。
【００２５】
従って、このような第１実施形態によれば、弦５５の交換時に張弦補助装置１０によって楽器本体５２とトレモロユニット５０との相対位置を固定できるので、弦５５をトレモロユニット５０から取り外したときに、弦５５を張設した状態と同様にトレモロユニット５０の位置を設定することができる。これにより、前記糸巻きによる弦５５の巻き付け量を極力少なくすることができ、張弦作業を容易且つ迅速に行うことが可能となる。
また、設置部１１及び保持部１２の外形寸法Ｄ２，Ｄ１を前述のように設定したので、連結部１３を起立姿勢とし、設置部１１に対して保持部１２を上方に向けた状態で自立でき、保持部１２により保持されたアーム６０の位置規制を安定的に行うことが可能となる。
【００２６】
［第２実施形態］
次に、本発明の第２実施形態について説明する。なお、以下の説明において、前記第１実施形態と同一若しくは同等の構成部分については必要に応じて同一符号を用いるものとし、説明を省略若しくは簡略にする。
【００２７】
図５及び図６には、本発明の張弦補助装置１０に係る第２実施形態が示されている。この第２実施形態は、第１実施形態に対して設置部の構成を変更したものである。
すなわち、第２実施形態の設置部２５は、前記連結部１３の下部に連設された三本の脚部２６と、各脚部２６の先端側にそれぞれ設けられた略円筒状の先端部２７とを備えている。各脚部２６は、平面視で前記連結部１３の径方向外側に延びるとともに、連結部１３の周方向約１２０°間隔毎に形成され、これにより、各先端部２７が楽器本体５２の三箇所に分散して接することとなる。また、先端部２７は、その下面領域に滑り防止部２８を備え、当該滑り防止部２８は、前述の滑り防止部１５と略同様の材質により構成されている。
【００２８】
従って、このような第２実施形態によっても、第１実施形態と同様の作用、効果を発揮することができる他、楽器本体５２の上面が膨出する湾曲面に形成されている場合であっても、設置部１１がいわゆる三脚と同様に作用してアーム６０の位置を安定して規制することが可能となる。
【００２９】
本発明を実施するための最良の構成、方法などは、以上の記載で開示されているが、本発明は、これに限定されるものではない。
すなわち、本発明は、特定の実施の形態に関して特に図示し、且つ、説明されているが、本発明の技術的思想及び目的の範囲から逸脱することなく、以上に述べた実施形態に対し、形状、位置若しくは方向、その他の詳細な構成において、当業者が様々な変形を加えることができるものである。
従って、上記に開示した形状などを限定した記載は、本発明の理解を容易にするために例示的に記載したものであり、本発明を限定するものではないから、それらの形状などの限定の一部若しくは全部の限定を外した部材の名称での記載は、本発明に含まれるものである。
【００３０】
例えば、前記保持部１２は、アーム６０を保持できる限りにおいて、種々の設計変更が可能であり、図７（Ａ）及び（Ｂ）に示されるように、保持部１２の外部と開口部１６とを連通する通路３０を保持部１２の上部若しくは側部に形成し、保持部１２の正面形状を略Ｕ字状若しくは略Ｃ字状に設けてもよい。これによれば、張弦補助装置１０を楽器本体５２の上面に設置した後、アーム６０を回転し、通路３０内にアーム６０の延出方向中間部を通過させることで、アーム６０が開口部１６に受容される。ここで、通路３０内にアーム６０を通過させる前に、各ねじ部１９，２０を介して保持部１２を回転させることで、アーム６０を受容し易いように開口部１６の向きを調整できる。
また、保持部１２は、図８に示されるように、前記通路３０を開閉可能に回転する開閉体３１を備えた構成としてもよい。
【００３１】
更に、第１実施形態の設置部１１の平面形状は、略楕円形状や略多角形状としてもよく、また、第２実施形態の先端部２７の形成数を増やして楽器本体５２への接触箇所を増大させてもよい。
【００３２】
また、前記連結部１３は、第１のねじ部１９を雄ねじにより構成するとともに、第２のねじ部を雌ねじにより構成することも可能である。
【産業上の利用可能性】
【００３３】
本発明は、トレモロユニットを備えたエレクトリックギター等の弦楽器の弦を交換するときに利用される。
【図面の簡単な説明】
【００３４】
【図１】第１実施形態に係る張弦補助装置の使用状態の概略斜視図。
【図２】前記張弦補助装置の正面図。
【図３】図２の側面図。
【図４】一部断面視した図２の分解正面図。
【図５】第２実施形態に係る張弦補助装置の正面図。
【図６】図５の平面図。
【図７】（Ａ）及び（Ｂ）は、変形例に係る張弦補助装置の正面図。
【図８】他の変形例に係る張弦補助装置の正面図。
【図９】エレクトリックギターの要部平面図。
【図１０】図９のトレモロユニット近傍の縦断面図。
【図１１】図１０から弦を取り外した状態を説明するための図。
【符号の説明】
【００３５】
１０・・・張弦補助装置、１１，２５・・・設置部、１２・・・保持部、１５，２８・・・滑り防止部、１６・・・開口部、５０・・・トレモロユニット、５１・・・エレクトリックギター（弦楽器）、５２・・・楽器本体、５５・・・弦、６０・・・アーム
【図１】
2006030231.tif 000003
【図２】
2006030231.tif 000004
【図３】
2006030231.tif 000005
【図４】
2006030231.tif 000006
【図５】
2006030231.tif 000007
【図６】
2006030231.tif 000008
【図７】
2006030231.tif 000009
【図８】
2006030231.tif 000010
【図９】
2006030231.tif 000011
【図１０】
2006030231.tif 000012
【図１１】
2006030231.tif 000013